(57)【要約】      （修正有） 【課題】バックル本体の後方を片手で軽く持ち上げてベルトの係止が解放される衣服用ベルトバックルを提供する。【解決手段】嵌め外し自在の係止具とベルトの裏面側に鋸歯部を形成した衣服用ベルトバックルにおいて、バックルはバックル本体の裏面側の両側の側壁部間にベルト規制部と、架橋部を一体に形成し、側壁部の中央部に操作体と係止体を支持する貫通孔を穿設して、操作体は一方にはベルト通孔を、他方には支持部を介して凹部を形成し、凹部の両側の軸受部には貫通孔を形成し、係止体は、弧状とした表面側に爪部を突設し、裏面側には貫通孔を穿設した軸受壁を形成し、係止体の裏面側の両軸受壁に挿入するコイルスプリングと、コイルスプリングに嵌挿する軸杆には軸の長さ方向に割溝を形成して、係止体の爪部をコイルスプリングの付勢力で押圧した衣服用ベルトバックル。【選択図】図１７
0003107370.tif 000002
【実用新案登録請求の範囲】
【請求項１】
係止可能なバックルとベルトの裏面側に合成樹脂製の鋸歯部を備えた衣服用ベルトバックルにおいて、
バックル（３０）はバックル本体（５）の裏面側（６）の両側に垂直の側壁部（７）を形成して、該側壁部（７）の中央部に階段部（８）を突設し、該階段部（８）の左寄りの側壁部（７）間に架橋部（９）を、右寄りの側壁部（７）間にベルト規制部（１０）を一体に形成し、両階段部（８）の側壁に後記操作体（１１）と後記係止体（１２）とが回動軸支する貫通孔（１３）を穿設し、
操作体（１１）は、裏面側の一方にベルト通孔（１４）を形成し、該ベルト通孔（１４）と連続する他方には支持部（１５）を介して後記コイルスプリン（２５）と後記係止体（１２）が嵌まり込む凹部（１６）を形成し、該操作体（１１）の裏面側の凹部（１６）両側に軸受部（１７）を有する貫通孔（１８）を形成し、
係止体（１２）は、表面側（２０）の中央に爪部（２１）を突設し、裏面側（２２）の両側には貫通孔（２３）を穿設した軸受壁（２４）を設け、前記操作体（１１）の凹部（１６）内に係止体（１２）の貫通孔（２３）間にコイルスプリング（２５）を嵌挿して、バックル本体（５）の貫通孔（１３）と操作体（１１）の貫通孔（１８）、係止体（１２）の貫通孔（２３）とを連係させてコイルスプリング（２５）に軸杆（２６）を回動自在に軸着させて係止体（１２）の爪部（２１）をコイルスプリング（２５）の付勢力でベルト（１）の鋸歯部（３）を押圧させることを特徴とする衣服用ベルトバックル。
【請求項２】
軸杆（２６）の周囲にコイルスプリング（２５）を巻き付けて、コイルスプリンブ（２５）の一端は軸杆（２６）に設けた割溝（２７）に係止し、コイルスプリング（２５）の他端は係止体（１２）に当接させて、該軸杆（２６）をバックル本体（５）の貫通孔（１３）と操作体（１１）の貫通孔（１８）、係止体（１２）の貫通孔（２３）とを連係軸着させてなることを特徴とする請求項１記載の衣服用ベルトバックル。
【請求項３】
バックルのベルト通孔（１４）に接続ベルト（１A）を介してベルト連結具（２９）を取付け、該ベルト連結具にベルト（１）の一端を取付けてなることを特徴とする請求項１又は２記載の衣服用ベルトバックル。
【考案の詳細な説明】
【技術分野】
【０００１】
本考案は、片手でバックルの解放操作が出来る衣服用ベルトバックルに関するものである。
【背景技術】
【０００２】
従来、バンド差込口を設けた止め金具本体の両側片に回動片の突片を外装して両突片間に固定した軸を両側片に回動自在に軸着し、該軸には爪の基部に制約を与えて遊嵌し、且つ爪の先端内部にはアールを形成することにより、回動片を起こすことなくバンドの先端方の裏面の凹凸状の爪嵌合部を止金具本体のバンド差込口より挿入したとき爪の先端のアール部分が爪嵌合部の凸部の壁に押されて降下してその頂を通過し次の凹部に嵌入し、この操作を逐次繰り返してバンドの挿入を許し、バンドを緩める際には回動片を起こすことにより、その軸が爪を爪嵌合部の凹部より脱出するようにした衣服用バンドが公知である。
【０００３】
【特許文献１】実公昭４６−２７６２８号
【考案の開示】
【考案が解決しようとする課題】
【０００４】
上記特許文献の衣服用バンドは、バックルにベルト本体の先端側を挿入するだけでベルト本体をバックルに係止させることができ、回動片の突片に軸が固定されているため回動片が何かに引っ掛かり持ち上げられると軸の爪がバンドの裏面の凹凸状の爪嵌合部から外れてしまうことがあり、バンドの爪がガタついているが凹部から脱外しない程度に遊嵌されているため、何かに引っ掛かると不用意に回動片が起き上がる欠点がある。
【０００５】
そこで、本考案は、ベルト側を押圧する爪部２１を突設した係止体１２の軸受壁２４間にコイルスプリング２５を嵌挿した後、操作体１１の裏面側の凹部１６に前記係止体１２を内側にして嵌込み、バックル本体５の貫通孔１３と操作体１１の貫通孔１８、係止体１２の貫通孔２３とを連係させて、軸杆２７をバックル本体の貫通孔から連通して軸着させて、軸杆２７の周囲にコイルスプリング２５を巻き付けて、コイルスプリンブ２５の一端は折り曲げられて、折り曲げ部分は軸杆２６に設けた割溝２７に係止させ、コイルスプリング２５の他端は係止体１２に当接して常にベルトを押し付けるように係止体１２の爪部２１をコイルスプリングの付勢力で押圧して、操作体１１がベルト規制部９よりベルト側に近付かないようにして、ベルトはコイルスプリング２５で常にベルトをバックルの中央部で押圧するようにして、係止体１２の爪部２１を鋸歯部３からベルトを解除させるには片手でバックル本体５を上方に持ち上げればよく、ベルトの係止め解除操作が片手で簡単にできる衣服用ベルトバックルを提供するものである。
【０００６】
不用意にバックル本体に触れても常にバックルはベルトを押圧しており、操作体１１と係止体１２が一体に連動するので不用意にバックルは解放されず、ベルトを緩めるときは片手でバックル本体５を上方に少許持ち上げればベルトは解放される。
さらに片手ではできないが、バックル本体を押えて操作体を腹部側に少し倒してもベルトに形成した鋸歯部から操作体と一体に連動するので係止体の爪部を外してベルトの径を調節することも可能である。
【課題を解決するための手段】
【０００７】
上記目的を達成するため本考案に係る請求項１の衣服用ベルトバックルは、下記の如き構成である。
係止可能なバックルとベルトの裏面側に合成樹脂製の鋸歯部を備えた衣服用ベルトバックルにおいて、
バックル３０はバックル本体５の裏面側６の両側に垂直の側壁部７を形成して、該側壁部７の中央部に階段部８を突設し、該階段部８の左寄りの側壁部７間に架橋部９を、右寄りの側壁部７間にベルト規制部１０を一体に形成し、両階段部８の側壁に後記操作体１１と後記係止体１２とが後記軸杆２６で回動軸支する貫通孔１３を穿設し、
操作体１１は、裏面側の一方にベルト通孔１４を形成し、該ベルト通孔１４と連続する他方には支持部１５を介して後記コイルスプリン２５と後記係止体１２が嵌まり込む凹部１６を形成し、該凹部１６の両側に軸受部１７を有する貫通孔１８を形成し、
係止体１２は、表面側２０の一片を弧状１９として中央に爪部２１を突設し、裏面側２２の両側には貫通孔２３を穿設した軸受壁２４を設け、前記操作体１１の凹部１６内に係止体１２の貫通孔２３間にコイルスプリング２５を嵌挿して、バックル本体５の貫通孔１３と操作体１１の貫通孔１８、係止体１２の貫通孔２３とを連係させてコイルスプリング２５に軸杆２６を回動自在に軸着させて係止体１２の爪部２１をコイルスプリング２５の付勢力でベルト１の鋸歯部３を押圧させることを特徴とする衣服用ベルトバックル。
【０００８】
請求項２は、請求項１において、軸杆２６の周囲にコイルスプリング２５を巻き付けて、コイルスプリンブ２５の一端は軸杆２６に設けた割溝２７に係止して、コイルスプリング２５の他端は係止体１２に当接させて、該軸杆２６をバックル本体５の貫通孔１３と操作体１１の貫通孔１８、係止体１２の貫通孔２３とを連係軸着させてなることを特徴とする衣服用ベルトバックルである。
【０００９】
請求項３は、請求項１又は２において、バックルのベルト通孔１４に接続ベルト１Aを介してベルト連結具２９を取付け、該ベルト連結具にベルト１の一端を取付けてなることを特徴とする衣服用ベルトバックルを、課題を解決手段とする。
【考案の効果】
【００１０】
バックル本体の中央部に操作体に取付けた爪部を有する係止体を一体に連動するように位置させて、爪部をコイルスプリングの付勢力で常にベルト側を押圧させることにより、ベルトとバックル本体の左右の高さが均一状態で係止されるので、バックルの後端を少許持ち上げるだけでベルトの解放が片手ででき、簡単な操作でバックルの係止を解放することが出来る衣服用ベルトバックルを提供する。
従来のバックの後端に爪部を有する操作体を取付けているためた両手でバックルとベルトの両方を持ちながら解放操作する必要があつた。
【００１１】
さらに、ベルト解放時にバックル本体のベルト規制部が形成されているので、バックルを上方に持ち上げても操作体がベルトと一緒に付いて来ないので、このベルト規制部でベルトを払い落とす役目がある。
【００１２】
本考案は、操作体側に常にベルト側を押圧する爪部を有する係止体を取付け、操作体の支持部がバックル本体のベルト規制部に当接することにより操作体はベルト側に下がらないようにして操作体がベルト側に接触しないのでベルトの移動もスムーズに行うことができる。
又、架橋部を設けたことにより、ベルトをバックルに通す時にベルトが飛び上がらずベルトをガイドする役目を有する。
【００１３】
また、別の解放操作するには片方の手でバックル本体を押えて操作体を腹部側に押し下げれば、係止体の枢軸に装備したコイルバネが常にベルト側を押圧しているので、操作体を腹部側に少し倒せばベルトに形成した鋸歯部から係止体の爪部が外れてベルトの係止が解放されベルトの径を調節することも可能である。
【考案を実施するための最良の形態】
【００１４】
本考案はバックル本体の中央部に操作体に取付けた爪部を有する係止体を一体に連動するように位置させて、爪部をコイルスプリングの付勢力で常にベルト側を押圧させることにより、ベルトとバックル本体の左右の高さが均一状態で係止されるので、バックルの後端を少許持ち上げるだけでベルトの解放が片手ででき、簡単な操作でバックルの係止を解放することが出来る衣服用ベルトバックルを提供する目的を達成した。
【実施例】
【００１５】
本考案に係るベルトバックルの実施の形態例を図面に基づき説明する。
本考案に係るベルトバックルは、図１はバックル本体の底面図、図２はバックル本体の正面図、図３は操作体の平面図、図４は図３のA―A線断面図、図５は操作体の正面図、図６は係止体の底面図、図７は係止体の平面図、図８は係止体の拡大正面図、第９図はコイルスプリングと軸体との関係を示す説明図、図１０は軸体の拡大正面図と拡大平面図、図１１は図１０のB―B線拡大断面図、図１２は操作体に係止体を嵌合し、軸体を挿入する状態を示す説明図、図１３はバックルの底面図、図１４はバックルの使用状態説明図、図１５はベルトに鋸歯体を取付けた一部省略平面図、図１６は鋸歯体の一部省略拡大断面図、図１７は使用状態説明断面図、図１８はバックルにベルト連結部を取付けた使用状態説明図である。
【００１６】
係止可能なバックルとベルトの裏面側に合成樹脂製の鋸歯部を備えた衣服用ベルトバックルにおいて、
バックル３０はバックル本体５の裏面側６の両側に垂直の側壁部７、７を形成して、該側壁部７、７の中央に階段部８，８を突設し、該階段部８，８の左寄りの側壁部７，７間にさし渡すように架橋部９を、階段部８，８の右寄りの側壁部７，７間にさし渡すようにベルト規制杆１０をそれぞれ一体に形成し、該階段盛部８，８には後記操作体１１と後記係止体１２とを回動軸支する貫通穴１３，１３を穿設してなり、操作体１１は、裏面側の一方にベルト通孔１４を形成し、該ベルト通孔１４と連続する他方には支持部１５を介して後記係止体１２を嵌まり込む凹部１６を形成し、該凹部１６の両側に軸受部１７，１７を有する貫通孔１８，１８を形成し、係止体１２は、一片を弧状１９とした表面側２０に爪部２１を突設し、裏面側２２には貫通孔２３，２３を穿設した軸受壁２４，２４を形成し、該係止体１２の裏面側２２の両軸受壁２４，２４間に挿入するコイルスプリング２５と、このコイルスプリング２５に嵌挿する軸杆２６からなり、軸杆２６には軸の長さ方向に割溝２７を形成し、操作体１１の凹部１６に嵌込む係止体１２の軸受壁２４，２４間にコイルスプリング２５を嵌挿した後、操作体１１の凹部１６にコイルスプリンブ２５を嵌込み、バックル本体５の貫通孔１３と操作体１１の貫通孔１８、係止体１２の貫通孔２３とを連係させて、該軸杆２６の周囲にコイルスプリング２５を巻き付けて回動自在に軸着させて、コイルスプリンブ２５の一端は折り曲げられて、折り曲げ部分は軸杆２６に設けた割溝２７に係止され、コイルスプリング２５の他端は係止体１２に当接して係止体１２の爪部２１をコイルスプリンブ２５の付勢力でベルト１の鋸歯部３を常に押圧させてなる衣服用ベルトバックル。
【００１７】
バックル本体５の貫通孔１３と操作体１１の貫通孔１８、係止体１２の貫通孔２３とを合わせて、軸杆２６を連通軸着させて軸杆２６の周囲にコイルスプリング２５を巻き付けて、コイルスプリンブ２５の一端は軸杆２６に設けた割溝２７に係止され、コイルスプリング２５の他端は係止体１２に当接して該軸杆２６をバックル本体５の貫通孔１３と操作体１１の貫通孔１８、係止体１２の貫通孔２３とを連係軸着させてなる請求項１記載の衣服用ベルトバックル。
【００１８】
バックルのベルト通孔１４に接続ベルト１Aを介してベルト連結具２９を取付け、該ベルト連結具２９にベルト１の一端を取付けてなる請求項１又は２記載の衣服用ベルトバックル。
【００１９】
ベルト１の裏面側２に取付ける所定間隔の鋸歯部３を形成した合成樹脂製のベルト係止帯体４はベルトの裏面側にベルト厚さに略等しい高さに埋め込まれ、合成樹脂製のベルト係止帯体４の材質はナイロン又はジュラコンなどの耐磨耗性のある合成樹脂からなり幅１６ｍｍ、長さ１６０ｍｍの帯体で、中央に鋸歯部３が多数形成されており、各鋸歯部３の一方の壁は垂直Sに他方の壁は外開き状の傾斜部Hに形成されている。
【図面の簡単な説明】
【００２０】
【図１】本発明の実施形態に係るバックル本体の底面図である。
【図２】バックル本体の正面図である。
【図３】操作体の平面図である。
【図４】図３のA-A線における断面図である。
【図５】操作体の正面図である。
【図６】係止体の平面図である。
【図７】係止体の底面図である。
【図８】係止体の係止体の拡大正面図である。
【図９】コイルスプリングと軸杆との関係を示す説明図である。
【図１０】軸杆の拡大正面図と軸杆拡大平面図である。
【図１１】図１０のB―B線における断面図である。
【図１２】操作体に係止体を嵌合し、軸杆を挿入する状態を示す説明図である。
【図１３】バックルの底面図である。
【図１４】バックルの使用状態説明図である。
【図１５】ベルトに鋸歯体を取付けた一部省略平面図である。
【図１６】鋸歯体の一部省略拡大断面図である。
【図１７】本考案の使用状態説明断面図である。
【図１８】バックルにベルト連結部を取付けた使用状態説明図である。
【符号の説明】
【００２１】
（１）ベルト
（１A）接続ベルト
（２）裏面側
（３）鋸歯部
（４）係止帯体
（５）バックル本体
（６）裏面側
（７）側壁部
（８）階段部
（９）架橋部
（１０）ベルト規制部
（１１）操作体
（１２）係止体
（１３）貫通穴
（１４）ベルト通孔
（１５）支持部
（１６）凹部
（１７）軸受部
（１８）貫通孔
（１９）弧状
（２０）表面側
（２１）爪部
（２２）裏面側
（２３）貫通孔
（２４）軸受壁
（２５）コイルスプリング
（２６）軸杆
（２７）割溝
（２８）蓋体
（２９）ベルト連結具
（３０）バックル
（S）垂直部
（H）傾斜部
【図１】
0003107370.tif 000003
【図２】
0003107370.tif 000004
【図３】
0003107370.tif 000005
【図４】
0003107370.tif 000006
【図５】
0003107370.tif 000007
【図６】
0003107370.tif 000008
【図７】
0003107370.tif 000009
【図８】
0003107370.tif 000010
【図９】
0003107370.tif 000011
【図１０】
0003107370.tif 000012
【図１１】
0003107370.tif 000013
【図１２】
0003107370.tif 000014
【図１３】
0003107370.tif 000015
【図１４】
0003107370.tif 000016
【図１５】
0003107370.tif 000017
【図１６】
0003107370.tif 000018
【図１７】
0003107370.tif 000019
【図１８】
0003107370.tif 000020